(57)【特許請求の範囲】
【請求項１】
電子部品を実装するメインボードと、該メインボードに実装される電子部品に対して所定の設定を行い該電子部品よりも実装高さが低い複数の操作部と、前記複数の操作部の近傍で該複数の操作部の間に配置される発光体と、を有する基板と、
前記基板をその内部に配置可能に形成されると共に、内部に配置された前記基板の前記操作部及び前記発光体が外部に臨むように形成される開口部を有する筐体と、
底板部と、一対の第１側板部と、一対の第２側板部とを備え、前記筐体の前記開口部に取り付け可能に形成されるカバー部材と、を備え、
前記底板部は、複数の貫通口と、反射部とを備え、前記開口部と略同形の矩形状に形成されており、開口部に貫通可能に形成され、
前記複数の貫通口は、前記操作部と対向する位置にそれぞれ形成され、該操作部を外部から視認可能に形成され、前記筐体に収納された前記基板の前記メインボードに取り付けられてなり、
前記反射部は、前記底板部の前記メインボードと対向する側の面の、前記筐体に収納された前記メインボードに取り付けられる発光体と対向する位置に形成され、前記発光体が照射した光を拡散させた状態で反射して、上方から操作部に照射するように構成してなり、
前記一対の第１側板部は、弾性変形可能に形成されるとともに、取り付けにより前記開口部に前記カバー部材が装着されると弾性変形させた状態になり、
前記一対の第２側板部は、前記開口部の側縁に当接可能に形成される
ことを特徴とするコントローラ装置。
【請求項２】
請求項１に記載のコントローラ装置において、
前記一対の第１側板部の先端部に係合部を設け、
該係合部は、前記一対の第２側板部が当接する前記開口部の側縁とは別の側縁 近傍に係合可能に形成される
ことを特徴とするコントローラ装置。
【発明の詳細な説明】
【背景技術】
【０００１】
本発明は、コントローラ装置に関し、特には自動ドア装置に用いられるコントローラ装置に関する。
【０００２】
従来より、自動ドア装置は、自動ドアの閉じ動作の速度や開き動作の速度等、自動ドアにおける諸機能を設定可能なコントローラ装置を備える（例えば、特許文献１参照）。
コントローラ装置は、操作部（ボリューム部品）を備え、作業者が操作部を操作することにより、自動ドアの閉じ動作の速度や閉じ動作におけるブレーキ動作終了位置から戸当たりまでの速度の設定等を行う。自動ドア装置は、コントローラ装置を備えることにより、自動ドアが安全に作動するように構成されている。
【０００３】
ところで、上述のコントローラ装置は、通常、速度制御等の自動ドアにおける諸機能を実現させるための機能部品が実装された基板と、基板を収容する筐体と、を備える。
基板には、各機能部品の他に、各機能部品の設定を行う操作部が実装されている。操作部は、筐体に設けられた開口から露出するように配置されており、外部から操作可能に形成されている。
また、基板には、コントローラ装置の起動により点灯するパイロットランプも実装されている。パイロットランプは、操作部と同様に、開口から露出するように配置されており、作業者がコントローラ装置の起動を外部から視認可能に形成されている。
【０００４】
筐体の開口は、操作部とパイロットランプが露出するように、操作部とパイロットランプを貫通可能に形成したカバー部材に覆われる。カバー部材は、操作部の先端とパイロットランプの先端を露出させることにより、開口からの基板の露出を抑制し、基板を保護する。
【先行技術文献】
【特許文献】
【０００５】
【特許文献１】特開２０００−１７４０６９号公報
【発明の概要】
【発明が解決しようとする課題】
【０００６】
ここで、昨今における上述のコントローラ装置には、操作部の実装高さが低いものがある。操作部の実装高さが低いと、操作部の先端がカバー部材から突出せず、カバー部材の内方に位置してしまう。そのため、作業者から操作部が見えにくくなる。また、他の機能部品の実装高さとの関係で操作部が見えにくくなる場合もある。これにより、自動ドアの調整作業が困難になる場合がある。
【０００７】
これに対しては、操作部の近傍に操作部を照射する発光体を設け、操作部の視認性を向上させることが考えられる。しかしながら、発光体を別途設ける場合には、発光体を配置するスペースを確保することが必要となる。小型のコントローラ装置においては、発光体の設置スペースの確保は困難な場合が多い。また、発光体を別途設ける場合には、コントローラ装置の部品点数が増加するためコストアップにつながる。
【０００８】
本発明は、カバー部材の取り付けを安定させ、発光体の放射した光の拡散を安定することができ、操作部における視認性を向上することのできるコントローラ装置を提供することを目的とする。
【課題を解決するための手段】
【０００９】
上記課題を解決するためになされた請求項１に記載の本発明に係るコントローラ装置は、電子部品を実装するメインボードと、該メインボードに実装される電子部品に対して所定の設定を行い該電子部品よりも実装高さが低い複数の操作部と、前記複数の操作部の近傍で該複数の操作部の間に配置される発光体と、を有する基板と、
前記基板をその内部に配置可能に形成されると共に、内部に配置された前記基板の前記操作部及び前記発光体が外部に臨むように形成される開口部を有する筐体と、
底板部と、一対の第１側板部と、一対の第２側板部とを備え、前記筐体の前記開口部に取り付け可能に形成されるカバー部材と、を備え、
前記底板部は、複数の貫通口と、反射部とを備え、前記開口部と略同形の矩形状に形成されており、開口部に貫通可能に形成され、
前記複数の貫通口は、前記操作部と対向する位置にそれぞれ形成され、該操作部を外部から視認可能に形成され、前記筐体に収納された前記基板の前記メインボードに取り付けられてなり、
前記反射部は、前記底板部の前記メインボードと対向する側の面の、前記筐体に収納された前記メインボードに取り付けられる発光体と対向する位置に形成され、前記発光体が照射した光を拡散させた状態で反射して、上方から操作部に照射するように構成してなり、
前記一対の第１側板部は、弾性変形可能に形成されるとともに、取り付けにより前記開口部に前記カバー部材が装着されると弾性変形させた状態になり、
前記一対の第２側板部は、前記開口部の側縁に当接可能に形成されることを特徴としている。
【００１０】
上記課題を解決するためになされた請求項２に記載の本発明に係るコントローラ装置は、請求項１に記載のコントローラ装置において、前記一対の第１側板部の先端部に係合部を設け、該係合部は、前記一対の第２側板部が当接する前記開口部の側縁とは別の側縁近傍に係合可能に形成されることを特徴としている。
【発明の効果】
【００１１】
本発明に係るコントローラ装置によれば、カバー部材の取り付けを安定させることで、発光体の放射した光の拡散を安定することができ、操作部における視認性を向上することができる。
【図面の簡単な説明】
【００１２】
【図１】本発明の第１実施形態に係るコントローラ装置の外観斜視図である。
【図２】第１実施形態に係るコントローラ装置の正面図である。
【図３】（ａ）は第１実施形態に係る基板の正面図であり、（ｂ）は（ａ）の基板を下方から見た平面図である。
【図４】（ａ）は第１実施形態に係るカバー部材の正面図であり、（ｂ）は（ａ）に示すカバー部材のＡ−Ａ矢視断面図であり、（ｃ）は（ａ）に示すカバー部材のＢ−Ｂ矢視断面図である。
【図５】第１実施形態に係るカバー部材の反射部がパイロットランプの照射した光を反射する状態を説明する説明図である。
【図６】（ａ）は第２実施形態に係るカバー部材の正面図であり、（ｂ）は（ａ）に示すカバー部材のＣ−Ｃ矢視断面図である。
【図７】第２実施形態に係るカバー部材の反射部がパイロットランプの照射した光を反射する状態を説明する説明図である。
【発明を実施するための形態】
【００１３】
以下、本発明の実施形態に係るコントローラ装置１，１Ａについて、図面を参照しながら説明する。
本発明の実施形態に係るコントローラ装置１，１Ａは、自動ドア装置（図示せず）における自動ドアの開閉時における動作等（例えば、閉じ動作や開き動作における速度等）を設定（例えば、速度の設定等）するために用いられる。
【００１４】
以下、本発明の実施形態に係るコントローラ装置１，１Ａについて、具体的に説明する。
【００１５】
［第１実施形態］
まず、本発明の第１実施形態に係るコントローラ装置１について、図１から図４を参照しながら説明する。
図１は、本発明の第１実施形態に係るコントローラ装置１の外観斜視図である。図２は、第１実施形態に係るコントローラ装置１の正面図である。図３（ａ）は、第１実施形態に係る基板３の正面図である。図３（ｂ）は、図３（ａ）の基板３を下方から見た平面図である。図４（ａ）は、第１実施形態に係るカバー部材４の正面図である。図４（ｂ）は、図４（ａ）に示すカバー部材４のＡ−Ａ矢視断面図である。図４（ｃ）は、図４（ａ）に示すカバー部材４のＢ−Ｂ矢視断面図である。
【００１６】
図１及び図２に示すように、第１実施形態に係るコントローラ装置１は、略矩形箱状に形成された筺体２と、筺体２の内部に収納される基板３と、筐体２に取り付け可能なカバー部材４と、を備える。
【００１７】
筐体２は、基板３を収容可能に形成されている。
筺体２の前面２０には、略矩形状の開口部２１が形成されている。開口部２１は、筺体２の前面２０における上方側に形成されている。
【００１８】
図３（ａ）及び図３（ｂ）に示すように、基板３は、ＣＰＵ、メモリ、電源ユニット等の電子部品３０を実装するメインボード３１と、メインボード３１に実装される電子部品３０に対して所定の設定（自動ドアの動作に係る設定）を行う操作部としてのボリューム部品３２と、光を照射する発光体としてのパイロットランプ（ＬＥＤ）３３と、を備える。
【００１９】
ボリューム部品３２は、略円柱状に形成されている。ボリューム部品３２は、中心軸を中心に、基端部がメインボード３１に回転自在に取り付けられている。また、ボリューム部品３２の先端部には、略中央部に十字状に切りかかれた十字溝３４が形成されている。ボリューム部品３２は、十字溝３４に、例えば、プラスドライバー等を差し込み、プラスドライバー等を回転させることにより回転する。
【００２０】
本実施形態においては、ボリューム部品３２は、第１ボリューム３２ａと、第２ボリューム３２ｂと、第３ボリューム３２ｃと、第４ボリューム３２ｄと、第５ボリューム３２ｅと、第６ボリューム３２ｆと、を備える。
第１ボリューム３２ａは、自動ドアが開いた後、自動ドアが閉まり始めるまでの開放状態における時間の設定（調整）を行う。第２ボリューム３２ｂは、自動ドアの閉じ動作におけるブレーキ動作終了位置から戸当たりまでの速度（微速）の設定（調整）を行う。
第３ボリューム３２ｃは、自動ドアの開速度の設定（調整）を行う。第４ボリューム３２ｄは、自動ドアの閉速度の設定（調整）を行う。第５ボリューム３２ｅは、自動ドアの開口の設定（調整）を行う。第６ボリューム３２ｆは、自動ドアの閉じ動作におけるブレーキ動作の設定（調整）を行う。
【００２１】
なお、図３（ａ）に示すように、第１ボリューム３２ａ、第２ボリューム３２ｂ、第３ボリューム３２ｃ、第４ボリューム３２ｄ、第５ボリューム３２ｅ及び第６ボリューム３２ｆは、基板３が筺体２に収納された後、外部に露出可能となるように、筺体２に形成された開口部２１と対向する位置に配置される。
また、図３（ｂ）に示すように、第１ボリューム３２ａ、第２ボリューム３２ｂ、第３ボリューム３２ｃ、第４ボリューム３２ｄ、第５ボリューム３２ｅ、及び第６ボリューム３２ｆには、電子部品３０よりも実装高さが低いものが用いられている。
【００２２】
パイロットランプ３３は、コントローラ装置１の電源を入れると点灯し、電源を切ると消灯する。
パイロットランプ３３は、ボリューム部品３２の近傍において、ボリューム部品３２に隣接するように配置される。本実施形態においては、パイロットランプ３３は、第５ボリューム３２ｅと第６ボリューム３２ｆとの間に配置されている。
【００２３】
また、メインボード３１には、自動ドアの開方向を指定する開方向スイッチ３５と、テストランプ３６と、が実装されている。開方向スイッチ３５は、スイッチ部３５ａを備え、スイッチ部３５ａを移動させる（例えば、左右方向における何れか一方に移動させる）ことにより、例えば、引き扉や左右開き等における動作が設定される。テストランプ３６は、起動テスト等において点灯するように構成されている。
【００２４】
カバー部材４は、ステンレスにより筐体２の開口部２１に取り付け可能に形成されている。具体的には、図４（ａ）から図４（ｃ）に示すように、カバー部材４は、底板部４０と、一対の第１側板部４１，４１と、一対の第２側板部４２，４２と、を備える。
【００２５】
底板部４０は、開口部２１と略同形の矩形状に形成されており、開口部２１に貫通可能に形成されている。
また、底板部４０は、複数の貫通口４３と、反射部４４と、を備える。
複数の貫通口４３は、筐体２に収納された基板３のメインボード３１に取り付けられるボリューム部品３２、開方向スイッチ３５及びテストランプ３６等と対向する位置にそれぞれ形成されている。また、複数の貫通口４３は、ボリューム部品３２、開方向スイッチ３５及びテストランプ３６を外部から視認可能に形成されている。
【００２６】
本実施形態においては、複数の貫通口４３は、第１貫通口４３ａと、第２貫通口４３ｂと、第３貫通口４３ｃと、第４貫通口４３ｄと、第５貫通口４３ｅと、第６貫通口４３ｆと、第７貫通口４３ｇと、第８貫通口４３ｈと、第９貫通口４３ｉと、を備える。
第１貫通口４３ａは、第１ボリューム３２ａと対向する位置において、第１ボリューム３２ａを外部から視認可能に形成される。第２貫通口４３ｂは、第２ボリューム３２ｂと対向する位置において、第２ボリューム３２ｂを外部から視認可能に形成される。第３貫通口４３ｃは、第３ボリューム３２ｃと対向する位置において、第３ボリューム３２ｃを外部から視認可能に形成される。第４貫通口４３ｄは、第４ボリューム３２ｄと対向する位置において、第４ボリューム３２ｄを外部から視認可能に形成される。
【００２７】
第５貫通口４３ｅは、第５ボリューム３２ｅと対向する位置において、第５ボリューム３２ｅを外部から視認可能に形成される。第６貫通口４３ｆは、第６ボリューム３２ｆと対向する位置において、第６ボリューム３２ｅを外部から視認可能に形成される。第７貫通口４３ｇは、開方向スイッチ３５と対向する位置において、開方向スイッチ３５を外部から視認可能に形成される。第８貫通口４３ｈは、テストランプ３６と対向する位置において、テストランプ３６を外部から視認可能に形成される。
【００２８】
反射部４４は、底板部４０の裏面側（メインボード３１と対向する側）に形成されている。また、反射部４４は、筐体３に収納されたメインボード３１に取り付けられるパイロットランプ３３と対向する位置に形成されている。反射部４４は、パイロットランプ３３が照射した光を拡散した状態でメインボード３１側に反射可能に形成されている。つまり、反射部４４は、パイロットランプ３３が照射した光を拡散させた状態で反射して、ボリューム部品３２等を照射する。
【００２９】
一対の第１側板部４１，４１は、底板部４０の長手方向における両縁に設けられている。一対の第１側板部４１，４１は、基端部が底板部４０の長手方向における側縁に連結されている。一方、一対の第１側板部４１，４１の先端部には、開口部２１の長手方向における側縁近傍と係合可能な係合部４１ａ，４１ａが設けられている。一対の第１側板部４１，４１は、基端部を中心に底板部４０の長手方向（開口部２１の長手方向）に弾性変形可能に形成されている。
【００３０】
一対の第２側板部４２，４２は、底板部４０の短手方向における両縁に設けられている。一対の第２側板部４２，４２は、基端部が底板部４０の短手方向における側縁に連結されている。一方、一対の第２側板部４２，４２の先端部は、開口部２１の短手方向における側縁と当接可能に形成されている。
【００３１】
次に、第１実施形態に係るコントローラ装置１の作用について、図５を参照しながら説明する。
図５は、第１実施形態に係るカバー部材４の反射部４４がパイロットランプ３３の照射した光を反射する状態を説明する説明図である。
【００３２】
図５に示すように、第１実施形態に係るコントローラ装置１は、カバー部材４のベースボード３１側の面（裏面）に形成された反射部４４が、第５ボリューム３２ｅと第６ボリューム３２ｆとの間に配置されているパイロットランプ３３と対向する位置に形成されている。つまり、反射部４４が、ボリューム部品３２の近傍に配置されたパイロットランプ３３と対向する位置に形成されている。
【００３３】
なお、カバー部材４は、一対の第１側板部４１，４１を長手方向に弾性変形させた状態で、カバー部材４を開口部２１に装着した後、一対の第１側板部４１，４１の係合部４１ａ，４１ａを開口部２１の長手方向における側縁近傍と係合させることにより開口部２１に固定される。
【００３４】
カバー部材４を開口部２１に固定した後、コントローラ装置１の電源を入れると、パイロットランプ３３が点灯する。パイロットランプ３３が点灯すると、パイロットランプ３３が照射した光が、パイロットランプ３３と対向する位置にある反射部４４を照射する。反射部４４にパイロットランプ３３の照射光が照射すると、反射部４４が照射光を反射する。反射部４４で反射した光は、反射光として、パイロットランプ３３の近傍に配置された各ボリューム部品３２を照射する。
【００３５】
また、反射部４４は、光を拡散させた状態で反射するように形成されている。そのため、反射部４４で反射する反射光は、反射部４４で拡散され、ベースボード３１の広範囲を照射する。つまり、反射光がより多くのボリューム部品３２を照射する。
【００３６】
以上のような構成を有する第１実施形態に係るコントローラ装置１によれば、以下のような効果を奏する。
第１実施形態に係るコントローラ装置１は、カバー部材４に形成された反射部４４が、パイロットランプ３３と対向する位置に配置されている。そのため、例えば、実装高さの低いボリューム部品３２を用いて、ボリューム部品３２がカバー部材４の貫通口４３から突出しない状態においても、パイロットランプ３３から照射された光が反射部４４で反射してボリューム部品３２を照射する。これにより、ボリューム部品３２が見えにくくなることを抑制することができる。つまり、ボリューム部品３２の視認性を向上させることができる。その結果、例えば、暗い場所でも容易に作業を行うことができる。
【００３７】
また、第１実施形態に係るコントローラ装置１は、パイロットランプ３３の照射する光を反射部４４で反射している。そのため、光を照射するための発光体を別途設ける必要がない。これにより、例えば、発光体を設置するスペースを確保する必要がない。また、別途、発光体を設ける必要もない。その結果、コントローラ装置１の部品点数が増加することを抑制することができ、コストアップを抑制することができる。
【００３８】
また、第１実施形態に係るコントローラ装置１は、カバー部材４の反射部４４が光を拡散可能に形成されている。そのため、パイロットランプ３３が照射した光を方々へ反射することができる。これにより、ボリューム部品３２の視認性を向上させることができる。その結果、例えば、暗い場所でも容易に作業を行うことができる。
【００３９】
［第２実施形態］
次に、本発明の第２実施形態に係るコントローラ装置１Ａについて、図１及び図２に加え、図６（ａ）及び図６（ｂ）を参照しながら説明する。
第２実施形態に係るコントローラ装置１Ａは、カバー部材における反射部の形状が異なる点において、第１実施形態に係るコントローラ装置１と相違する。そのため、第２実施形態においては、第１実施形態と相違するカバー部材４Ａの反射部４４Ａを中心に説明する。
【００４０】
なお、第２実施形態において、第１実施形態に係るコントローラ装置１と同様の構成については、同じ符号を付して説明を省略する。また、カバー部材４Ａを除いたコントローラ装置１Ａの全体構成は、図１及び図２を援用して説明を省略する。
また、第２実施形態において、第１実施形態と同様の構成のものについては、第１実施形態と同様の効果を奏する。
【００４１】
図６（ａ）及び図６（ｂ）に示すように、第２実施形態に係るカバー部材４Ａに形成される反射部４４Ａは、反射光がボリューム部品３２に向かって照射するように、所定の角度をもって形成されている（底板部４０の長手方向における断面形状が略三角形状になるように形成されている）。具体的には、反射部４４Ａは、底板部４０の長手方向における略中央部（反射部４４Ａの略中央部）を最下点として、底板部４０の長手方向における一方側と他方側とに上り傾斜するように形成されている。つまり、反射部４４Ａの反射面４５，４５が各ボリューム部品３２の方を向くように形成されている。
【００４２】
次に、第２実施形態に係るコントローラ装置１Ａの作用について、図７を参照しながら説明する。
図７は、第２実施形態に係るカバー部材４Ａの反射部４４Ａがパイロットランプ３３の照射した光を反射する状態を説明する説明図である。
図７に示すように、第２実施形態に係るコントローラ装置１Ａは、カバー部材４Ａのベースボード３１側の面に形成された反射部４４Ａが、第５ボリューム３２ｅと第６ボリューム３２ｆとの間に配置されているパイロットランプ３３と対向する位置に形成されている。つまり、反射部４４Ａが、ボリューム部品３２の近傍に配置されたパイロットランプ３３と対向する位置に形成されている。
また、反射部４４Ａは、所定の角度をもって形成されている。言い換えると、反射部４４Ａの反射面４５，４５がボリューム部品３２の方を向くように形成されている。
【００４３】
なお、カバー部材４Ａは、一対の第１側板部４１，４１を弾性変形させた状態で、カバー部材４Ａを開口部２１に装着した後、一対の第１側板部４１，４１の係合部４１ａ，４１ａを開口部２１の長手方向における側縁近傍と係合させることにより開口部２１に固定される。
【００４４】
カバー部材４Ａを開口部２１に固定した後、コントローラ装置１Ａの電源を入れると、パイロットランプ３３が点灯する。パイロットランプ３３が点灯すると、パイロットランプ３３が照射した光が、パイロットランプ３３と対向する位置にある反射部４４Ａを照射する。反射部４４Ａにパイロットランプ３３の照射光が照射すると、反射部４４Ａの反射面４５，４５が照射光を反射する。反射面４５，４５で反射した光は、反射光として、パイロットランプ３３の近傍に配置されたボリューム部品３２等を照射する。
【００４５】
また、反射部４４Ａは、反射光がボリューム部品３２に向かって照射するように、所定の角度をもって形成されている。言い換えると、反射部４４Ａの反射面４５，４５がボリューム部品３２の方を向くように形成されている。そのため、反射部４４Ａで反射する光は、より遠くに位置するボリューム部品（例えば、第１ボリューム３２ａ等）をも照射することができる。つまり、反射光がより多くのボリューム部品３２を照射することができる。
【００４６】
以上のような構成を有する第２実施形態に係るコントローラ装置１Ａによれば、第１実施形態に係るコントローラ装置１の効果に加え、以下のような効果を奏する。
第２実施形態に係るコントローラ装置１Ａは、反射光がボリューム部品３２に向かって照射するように、反射部４４Ａが所定の角度をもって形成されている。そのため、パイロットランプ３３が照射した光を反射した反射光でボリューム部品３２を照射することができる。これにより、ボリューム部品３２の視認性を向上させることができる。その結果、例えば、暗い場所でも容易に作業を行うことができる。
【００４７】
また、第２実施形態に係るコントローラ装置１Ａは、反射部４４Ａが所定の角度をもって形成されている。そのため、パイロットランプ３３から離れた位置に配置されるボリューム部品３２をも照射することができる。これにより、ボリューム部品３２の視認性を向上させることができる。
【００４８】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００４９】
例えば、本実施形態においては、コントローラ装置１，１Ａは、拡散可能又は所定の角度をもった反射部４４，４４Ａを用いて説明したが、本発明においてはこれに限定されない。例えば、コントローラ装置は、拡散可能に形成され、所定の角度をもった反射部を用いてもよい。反射部を拡散可能で、且つ、所定の角度をもたせることにより、遠くまでより多くのボリューム部品を照射することができる。
【００５０】
また、コントローラ装置は、反射部４４，４４Ａを鏡面状に形成してもよい。反射部４４，４４Ａは、パイロットランプ３３が照射する光を反射可能であればよく、好ましくは、反射光でボリューム部品３２を照射可能に形成されていればよい。
【００５１】
また、本実施形態においては、自動ドア装置用のコントローラ装置１を用いて説明したが、本発明においては、これに限定されない。コントローラ装置は、例えば、発光体（例えば、パイロットランプ）と、実装高さが低くカバー部材の内部に配置されるボリューム部品と、を備えるコントローラ装置に用いることができる。
【００５２】
また、本実施形態においては、カバー部材４，４Ａは、ステンレスにより形成したものを用いて説明したが、本発明においてはこれに限定されない。カバー部材は、プラスチック等の合成樹脂や他の金属により形成し、反射部にメッキ処理等を施したものであってもよい。
【００５３】
また、本実施形態においては、発光体として一つのパイロットランプ（ＬＥＤ）３３を用いてボリューム部材３２を照射（反射光で照射）する構成としたが、本発明においてはこれに限定されない。発光体は、反射用のＬＥＤ等を複数配置してもよい。発光体は、ボリューム部材３２の数や配置等に合わせて適宜配置することが好ましい。
【符号の説明】
【００５４】
１、１Ａ    コントローラ装置
２    筐体
３    基板
４、４Ａ    カバー部材
２１    開口部
３２    ボリューム部品（操作部）
３２ａ    第１ボリューム（操作部）
３２ｂ    第２ボリューム（操作部）
３２ｃ    第３ボリューム（操作部）
３２ｄ    第４ボリューム（操作部）
３２ｅ    第５ボリューム（操作部）
３２ｆ    第６ボリューム（操作部）
３３    パイロットランプ（発光体）
４３    貫通口
４３ａ    第１貫通口
４３ｂ    第２貫通口
４３ｃ    第３貫通口
４３ｄ    第４貫通口
４３ｅ    第５貫通口
４３ｆ    第６貫通口
４４、４４Ａ    反射部
４５    反射面
【図１】
0005475156.tif 000002
【図２】
0005475156.tif 000003
【図３】
0005475156.tif 000004
【図４】
0005475156.tif 000005
【図５】
0005475156.tif 000006
【図６】
0005475156.tif 000007
【図７】
0005475156.tif 000008